(57)【要約】      （修正有）【課題】着脱可能な記憶媒体の着脱時に生じることのあるデータ破壊をより低減することのできる記憶装置を提供する。【解決手段】制御部１０は、エンジンスイッチ２０が「ＡＣＣオン」から「ＡＣＣオフ」に設定されたと判断される場合、記憶媒体ＳＤへのデータバックアップを含む終了処理が完了するまでカバー３２を閉位置にロックし、この終了処理の完了後に、カバー３２の閉位置でのロック状態を解除する。また、制御部１０は、記憶媒体ＳＤが装着部１５に装着されていないと判断する場合、または、記憶媒体ＳＤが装着部１５に装着されていると判断されてもカバー３２が閉じられていないと判断する場合、記憶媒体ＳＤへアクセスせず、カバー３２が閉じられていると判断する場合、カバー３２を閉位置でロックする。【選択図】図１
2010176425.tif 000002
【特許請求の範囲】
【請求項１】
データを書込可能な記憶媒体が装着される装着部と、
前記装着部に装着される前記記憶媒体へアクセスし、データの読み出し及びデータの書き込みを行なうデータ制御部とを備える記憶装置であって、
前記装着部に装着される前記記憶媒体を取り外し不能にするロック機構と、
前記ロック機構を制御するロック機構制御部とを備え、
前記ロック機構制御部は、前記データ制御部によって前記記憶媒体へのアクセスが行なわれている間は、前記ロック機構によって前記記憶媒体を取り外し不能にロックすることを特徴とする記憶装置。
【請求項２】
請求項１に記載の記憶装置において、
前記ロック機構は、
前記装着部を内部に有し、この内部の前記装着部に前記記憶媒体を装着するための挿入口を有する筐体と、
所定の開位置に位置することで、前記記憶媒体を前記挿入口を介して前記装着部に着脱可能な状態とする一方、所定の閉位置に位置することで、前記記憶媒体を前記挿入口を介して前記装着部に着脱不能な状態とするカバーと、
前記筐体に変位可能に設けられ、所定のロック位置に位置することで、前記カバーを前記所定の閉位置にロックするロック部と、
前記ロック部を変位させる駆動部とを有しており、
前記ロック機構制御部は、前記駆動部によって前記ロック部を所定のロック位置に変位させることで、前記記憶媒体をロックすることを特徴とする記憶装置。
【請求項３】
請求項１または２に記載の記憶装置において、
当該装置への電源供給を制御する電源制御部をさらに備え、
前記データ制御部は、当該装置の電源をオフにする所定操作が行われることに基づいて、前記記憶媒体へアクセスしてデータの書き込みを行なうデータバックアップを含む終了処理を実行し、
前記ロック機構制御部は、前記終了処理が完了したことに基づいて、前記ロック機構による前記記憶媒体のロックを解除し、
前記電源制御部は、前記記憶媒体のロックが解除されることに基づいて、当該装置の電源をオフとすることを特徴とする記憶装置。
【請求項４】
データを書込可能な記憶媒体が装着される装着部と、
前記装着部に装着される前記記憶媒体へアクセスし、データの読み出し及びデータの書き込みを行なうデータ制御部とを備える記憶装置であって、
前記装着部を内部に有し、この内部の前記装着部に前記記憶媒体を装着するための挿入口を有する筐体と、
所定の開位置に位置することで、前記記憶媒体を前記挿入口を介して前記装着部に着脱可能な状態とする一方、所定の閉位置に位置することで、前記記憶媒体を前記挿入口を介して前記装着部に着脱不可能な状態とするカバーと、
前記カバーの位置を検出するカバー位置検出部とを備え、
前記データ制御部は、前記カバー位置検出部によって前記カバーが前記所定の閉位置に検出されないことに基づいて、前記記憶媒体へアクセスしないことを特徴とする記憶装置。
【請求項５】
請求項４に記載の記憶装置において、
前記装着部の電位状態に基づいて、前記記憶媒体の前記装着部への着脱状態を判断する着脱状態判断部をさらに備え、
前記データ制御部は、前記着脱状態判断部によって前記記憶媒体が前記装着部に装着されていると判断されても、前記カバー位置検出部によって前記カバーが前記所定の閉位置に検出されないことに基づいて、前記装着部に装着された前記記憶媒体へアクセスしないことを特徴とする記憶装置。
【請求項６】
請求項４または５に記載の記憶装置において、
所定のロック位置に位置することで、前記カバーを前記所定の閉位置にロックするロック部と、
前記カバー位置検出部によって前記カバーが前記所定の閉位置に検出されることに基づいて、前記ロック部を前記ロック位置に変位させる駆動制御部とをさらに備えることを特徴とする記憶装置。
【請求項７】
請求項４〜６のいずれか一項に記載の記憶装置において、
文字及び画像の少なくとも何れか一方を表示可能な表示部と、
前記表示部を制御する表示制御部とを備え、
前記表示制御部は、前記カバー位置検出部によって前記カバーが前記所定の閉位置に検出されないことに基づいて、前記カバーが開いている旨の表示を行なうことを特徴とする記憶装置。
【請求項８】
データを書込可能な記憶媒体が装着される装着部と、
前記装着部の電位状態に基づいて、前記記憶媒体の前記装着部への着脱状態を判断する着脱状態判断部と、
前記装着部に装着される前記記憶媒体へアクセスし、データの読み出し及びデータの書き込みを行なうデータ制御部とを備える記憶装置であって、
前記データ制御部は、前記着脱状態判断部によって前記記憶媒体が前記装着部に装着されていないと判断されることに基づいて、前記記憶媒体へアクセスしないことを特徴とする記憶装置。
【請求項９】
請求項５〜８のいずれか一項に記載の記憶装置において、
文字及び画像の少なくとも何れか一方を表示可能な表示部と、
前記表示部を制御する表示制御部とを備え、
前記表示制御部は、前記着脱状態判断部によって前記記憶媒体が前記装着部に装着されていないと判断されることに基づいて、前記記憶媒体が前記装着部に未装着である旨の表示を行なうことを特徴とする記憶装置。
【発明の詳細な説明】
【技術分野】
【０００１】
本発明は、装着部に着脱可能に装着されている記憶媒体へアクセスし、データの読み出し及びデータの書き込みを行なう記憶装置に関する。
【背景技術】
【０００２】
近年、車載ナビゲーション装置では、プログラムや地図データ等の情報を記憶する記憶媒体として、ＳＤカード等の着脱可能な記憶媒体が採用されている。記憶媒体を容易に着脱することができることから、記憶媒体へのアクセス中にその記憶媒体が着脱されることがあり、この場合には、記憶されているデータが破壊されてしまうこともある。
【０００３】
そこで、例えば特許文献１に記載の車載ナビゲーション装置では、着脱可能な記憶媒体が装着されたことを検知した後に、この記憶媒体に電源を供給するようにしている。これにより、記憶媒体が装着されたことを検知する前には記憶媒体へ電源が供給されないため、記憶媒体へのアクセス中にその記憶媒体が装着されることはなくなり、ひいては、記憶媒体に記憶されていたデータが破壊されてしまうことが低減するようになる。
【０００４】
しかしながら、上記特許文献１に記載の技術では、記憶媒体を取り外す際には、記憶媒体へ電源が供給されたままである。そのため、記憶媒体へのアクセス中にその記憶媒体が取り外される可能性があり、ひいては、記憶媒体に記憶されているデータが破壊されてしまうことがある。
【０００５】
これに対し、例えばデジタルカメラや携帯電話等では、着脱可能な記憶媒体を誤って取り外すことができないようにするカバーが筐体に設けられている。そのため、ユーザは、電源をオフとする操作を行い、表示部の表示が消えたことで電源オフになっていると判断し、カバーを取り外し、着脱可能な記憶媒体を取り外すことになる。これにより、記憶媒体へのアクセス中にその記憶媒体が取り外されることはほとんどなくなり、ひいては、記憶媒体に記憶されていたデータが破壊されてしまうことが低減するようになる。
【０００６】
したがって、上記特許文献１に記載の技術（車載ナビゲーション装置）の課題を解決するには、上記特許文献１に記載の技術に、デジタルカメラや携帯電話等で採用される上記カバーを適用すれば良いように思われる。
【先行技術文献】
【特許文献】
【０００７】
【特許文献１】特開２００５−１０９０１号公報
【発明の概要】
【発明が解決しようとする課題】
【０００８】
しかしながら、車載ナビゲーション装置に上記カバーを単純に適用しても、依然として課題は残る。
【０００９】
車載ナビゲーション装置では、ＡＣＣオフにより電源オフとされるが、デジタルカメラや携帯電話等とは異なり、大量のデータバックアップが必要な場合が多く、必ずしもＡＣＣオフ後すぐに電源オフとなるわけではない。ユーザは、表示部の表示が消えたことで電源オフになっていると判断し、上記カバーを取り外した上で、着脱可能な記憶媒体を取り外すが、表示部の表示が消えたとしても、実際には、車載ナビゲーション装置のデータバックアップ動作は継続しており、記憶媒体へのアクセス中にその記憶媒体を取り外すことになる。記憶媒体へのアクセス中にその記憶媒体を取り外すと、記憶されているデータが破壊されてしまうことは既述の通りである。
【００１０】
なお、この課題は、車載ナビゲーション装置に限らず、デジタルカメラや携帯電話等であっても、着脱可能な記憶媒体への大量のデータバックアップを行なう場合には同様に生じる課題であり、電源オフ時の記憶媒体へのデータバックアップ時にも限らず、通常時の記憶媒体へのデータバックアップ時にも同様に生じる課題である。
【００１１】
結局のところ、着脱可能な記憶媒体へのアクセス中にその記憶媒体が着脱される可能性は依然として残り、ひいては、記憶されているデータが破壊されてしまうことが懸念される。
【００１２】
本発明は、上記実情に鑑みてなされたものであって、その目的は、着脱可能な記憶媒体の着脱時に生じることのあるデータ破壊を低減することのできる記憶装置を提供することにある。
【課題を解決するための手段】
【００１３】
こうした目的を達成するため、請求項１に記載の発明では、データを書込可能な記憶媒体が装着される装着部と、前記装着部に装着される前記記憶媒体へアクセスし、データの読み出し及びデータの書き込みを行なうデータ制御部とを備える記憶装置であって、前記装着部に装着される前記記憶媒体を取り外し不能にするロック機構と、前記ロック機構を制御するロック機構制御部とを備え、前記ロック機構制御部は、前記データ制御部によって前記記憶媒体へのアクセスが行なわれている間は、前記ロック機構によって前記記憶媒体を取り外し不能にロックすることを特徴とする。
【００１４】
記憶装置としてのこのような構成では、データ制御部によって記憶媒体へのアクセスが行なわれている間は、ロック機構によって記憶媒体が取り外し不能にロックされる。そのため、アクセス中にユーザが記憶媒体を取り外そうとしても取り外すことができなくなる。したがって、記憶媒体へのアクセス中に記憶媒体が取り外されることはほとんどなくなるため、着脱可能な記憶媒体の取外時に生じることのあるデータ破壊を低減することができるようになる。
【００１５】
上記ロック機構として任意の構成を採用することができる。例えば請求項２に記載の発明のように、前記ロック機構は、前記装着部を内部に有し、この内部の前記装着部に前記記憶媒体を装着するための挿入口を有する筐体と、所定の開位置に位置することで、前記記憶媒体を前記挿入口を介して前記装着部に着脱可能な状態とする一方、所定の閉位置に位置することで、前記記憶媒体を前記挿入口を介して前記装着部に着脱不能な状態とするカバーと、前記筐体に変位可能に設けられ、所定のロック位置に位置することで、前記カバーを前記所定の閉位置にロックするロック部と、前記ロック部を変位させる駆動部とを有しており、前記ロック機構制御部は、前記駆動部によって前記ロック部を所定のロック位置に変位させることで、前記記憶媒体をロックすることとしてもよい。
【００１６】
上記請求項１または２に記載の構成において、請求項３に記載の発明では、当該装置への電源供給を制御する電源制御部をさらに備え、前記データ制御部は、当該装置の電源をオフにする所定操作が行われることに基づいて、前記記憶媒体へアクセスしてデータの書き込みを行なうデータバックアップを含む終了処理を実行し、前記ロック機構制御部は、前記終了処理が完了したことに基づいて、前記ロック機構による前記記憶媒体のロックを解除し、前記電源制御部は、前記記憶媒体のロックが解除されることに基づいて、当該装置の電源をオフとすることを特徴とすることとした。
【００１７】
通常、記憶装置は、例えば車載ナビゲーション装置等、車載機器の一部として具体化されることが多く、着脱可能な記憶媒体へのアクセス中にその記憶媒体が着脱されることが多いのは、車載機器の電源オフ操作時である。その点、記憶装置としての上記構成によれば、電源オフ操作時に行われる終了処理が完了するまで記憶媒体のロックは解除されなくなるため、データ破壊をより確実に低減することができるようになる。
【００１８】
一方、上記目的を達成するため、請求項４に記載の発明では、データを書込可能な記憶媒体が装着される装着部と、前記装着部に装着される前記記憶媒体へアクセスし、データの読み出し及びデータの書き込みを行なうデータ制御部とを備える記憶装置であって、前記装着部を内部に有し、この内部の前記装着部に前記記憶媒体を装着するための挿入口を有する筐体と、所定の開位置に位置することで、前記記憶媒体を前記挿入口を介して前記装着部に着脱可能な状態とする一方、所定の閉位置に位置することで、前記記憶媒体を前記挿入口を介して前記装着部に着脱不可能な状態とするカバーと、前記カバーの位置を検出するカバー位置検出部とを備え、前記データ制御部は、前記カバー位置検出部によって前記カバーが前記所定の閉位置に検出されないことに基づいて、前記記憶媒体へアクセスしないことを特徴とする。
【００１９】
カバー位置検出部によってカバーが閉位置に検出されない場合には、記憶媒体へのアクセス中に記憶媒体が取り外される可能性が高い。上記構成によれば、データ制御部は、カバー位置検出部によってカバーが閉位置に検出されないことに基づいて、記憶媒体へアクセスしないため、記憶媒体の取外時に生じることのあるデータ破壊をより低減することができるようになる。
【００２０】
なお、上記請求項４に記載の構成において、請求項５に記載の発明のように、前記装着部の電位状態に基づいて、前記記憶媒体の前記装着部への着脱状態を判断する着脱状態判断部をさらに備え、前記データ制御部は、前記着脱状態判断部によって前記記憶媒体が前記装着部に装着されていると判断されても、前記カバー位置検出部によって前記カバーが前記所定の閉位置に検出されないことに基づいて、前記装着部に装着された前記記憶媒体へアクセスしないこととしてもよい。
【００２１】
記憶媒体からのデータの読み出し又は記憶媒体へのデータの書き込みが開始された後、カバーが急に開位置まで変位され、記憶媒体が装着部から取り外される可能性もある。
【００２２】
その点、上記請求項４または５に記載の構成において、請求項６に記載の発明のように、所定のロック位置に位置することで、前記カバーを前記所定の閉位置にロックするロック部と、前記カバー位置検出部によって前記カバーが前記所定の閉位置に検出されることに基づいて、前記ロック部を前記ロック位置に変位させる駆動制御部とをさらに備えることが望ましい。これにより、駆動制御部によってロック部をロック位置に変位させた後、データ制御部によって記憶媒体からのデータの読み出し及び記憶媒体へのデータの書き込みを行なうことが可能となるため、記憶媒体の取外時に生じることのあるデータ破壊をより確実に低減することができるようになる。
【００２３】
なお、上記請求項４〜６のいずれか一項に記載の構成において、請求項７に記載の発明のように、文字及び画像の少なくとも何れか一方を表示可能な表示部と、前記表示部を制御する表示制御部とを備え、前記表示制御部は、前記カバー位置検出部によって前記カバーが前記所定の閉位置に検出されないことに基づいて、前記カバーが開いている旨の表示を行なうこととしてもよい。
【００２４】
そもそも、記憶媒体が装着部に装着されていないならば、記憶媒体にアクセスすることはできないため、データ制御部は記憶媒体にアクセスするはずはないように思われる。しかし、実際には、データ制御部は、記憶媒体が装装着部に装着されていないにもかかわらず、記憶媒体にアクセスしようとすることはある。こうしたアクセス試行中に、記憶媒体が実際に装着部に装着されると、やはり、データ破壊が生じてしまう。
【００２５】
その点、請求項８に記載の発明のように、データを書込可能な記憶媒体が装着される装着部と、前記装着部の電位状態に基づいて、前記記憶媒体の前記装着部への着脱状態を判断する着脱状態判断部と、前記装着部に装着される前記記憶媒体へアクセスし、データの読み出し及びデータの書き込みを行なうデータ制御部とを備える記憶装置であって、前記データ制御部は、前記着脱状態判断部によって前記記憶媒体が前記装着部に装着されていないと判断されることに基づいて、前記記憶媒体へアクセスしないことが望ましい。これにより、記憶媒体が装着部に装着されていないと判断されると、データ制御部は記憶媒体へアクセスしなくなるため、着脱可能な記憶媒体の着脱時に生じることのあるデータ破壊をより低減することができるようになる。
【００２６】
なお、請求項５〜８のいずれか一項に記載の構成において、請求項９に記載の発明のように、文字及び画像の少なくとも何れか一方を表示可能な表示部と、前記表示部を制御する表示制御部とを備え、前記表示制御部は、前記着脱状態判断部によって前記記憶媒体が前記装着部に装着されていないと判断されることに基づいて、前記記憶媒体が前記装着部に未装着である旨の表示を行なうこととしてもよい。
【００２７】
また、上記請求項１〜３のいずれか一項に記載の発明と、上記請求項４〜９のいずれか一項に記載の発明とを併用することもできる。
【図面の簡単な説明】
【００２８】
【図１】本発明に係る記憶装置の一実施の形態を含む車載ナビゲーション装置について、その構成例を示すブロック図である。
【図２】本実施の形態の記憶装置の外観を示す斜視図である。
【図３】（ａ）は、カバーの開状態を示す模式図であり、（ｂ）は、カバーの閉状態を示す模式図である。
【図４】（ａ）は、カバーのロック解除状態を示す模式図であり、（ｂ）は、カバーのロック状態を示す模式図である。
【図５】記憶媒体の取り外し時に実行される取外時処理について、その処理手順を示すフローチャートである。
【図６】記憶媒体の装着時に実行される装着時処理について、その処理手順を示すフローチャートである。
【発明を実施するための形態】
【００２９】
以下、本発明に係る記憶装置の一実施の形態について、図１〜図６を参照しつつ説明する。なお、本実施の形態では、記憶装置１ａは、例えば、図示しない自車両に搭載されて目的地までの推奨経路を案内する車載ナビゲーション装置（以下、カーナビとも記載する）１の一部として具体化されている。
【００３０】
図１は、こうしたカーナビ装置１の構成例を示すブロック図である。この図１を参照しつつ、記憶装置１ａを含め、カーナビ装置１の構成及び機能について説明する。
【００３１】
図１に示されるように、カーナビ装置１は制御部１０を備える。この制御部１０は、ＣＰＵ及び内蔵メモリ（いずれも図示略）等を備えた公知のコンピュータであり、内蔵メモリや後述の記憶媒体ＳＤに予め記憶されたプログラムに従って各種処理を実行する。詳しくは後述するが、制御部１０は、例えば、自車両の現在地を取得し目的地までの推奨経路を案内する経路案内処理、記憶媒体ＳＤの装着時に実行する装着時処理（図５）、記憶媒体ＳＤの取り外し時に実行する取外時処理（図６）等々を実行する。
【００３２】
カーナビ装置１は、位置取得部１１、操作部１２、表示部１３、及び経路探索部１４を備える。このうち、位置取得部１１は、例えばＧＰＳ受信機、方位センサ、及び速度センサ等で構成され、制御部１０に接続されている。位置取得部１１は、自車両の現在地を取得し、この取得した自車両の現在地を制御部１０に出力する。また、操作部１２は、例えば操作ボタン、キーボード、及びタッチパネル等で構成され、制御部１０に接続されている。操作部１２は、ユーザによる指示を受け付けており、受け付けた指示を制御部１０に出力する。表示部１３は、文字及び画像（グラフィック）の少なくとも何れか一方を表示可能な画面を有しており、制御部１０に接続されている。表示部１３は、制御部１０から出力される例えば地図情報や経路誘導情報等の各種情報を画面表示する。経路探索部１４は、自車両の現在地、目的地及び地図情報に基づいて推奨経路を探索し、この探索した推奨経路を制御部１０に出力する。このように構成されることで、カーナビ装置１は、ユーザから目的地及び検索条件を操作部１２を介して受け付けると、位置取得部１１によって取得された現在地から上記目的地までの推奨経路を経路探索部１４によって探索し、この探索結果である経路情報、周辺地図、自車両の現在地、案内情報等を車両の移動に合わせて表示部１３に表示する。そして、目的地までの推奨経路をユーザに提供する。なお、表示部１３が特許請求の範囲に記載の表示部に相当し、制御部１０が特許請求の範囲に記載の表示制御部に相当する。
【００３３】
また、カーナビ装置１は、例えばＳＤカード等の記憶媒体ＳＤを装着する装着部１５を備えており、この装着部１５は上記制御部１０に接続されている。装着部１５には、この装着部１５への記憶媒体ＳＤの装着を検出するための装着検出用のピン、装着部１５に記憶媒体ＳＤが装着されることで記憶媒体ＳＤにデータを書き込んだりデータを読み出したりする信号用のピン、装着部１５に装着された記憶媒体ＳＤに電源を供給するための電源供給用のピン（いずれも図示略）が設けられている。
【００３４】
記憶媒体ＳＤは、装着部１５に装着されて、電源供給用のピンから電源が供給されると、装着部１５に装着された旨を示すステータス信号を所定の電圧レベルにて装着検出用のピンに出力する。例えば、記憶媒体ＳＤが装着部１５に装着されている場合には、装着部１５はステータス信号を論理Ｈレベルに対応する電圧レベルにて装着検出用のピンに出力し、記憶媒体ＳＤが装着部１５から取り外されている場合には、装着部１５はステータス信号を論理Ｌレベルに対応する電圧レベルにて装着検出用のピンに出力する。制御部１０は、この装着検出用のピンの電圧レベル（電位状態）を監視することで、記憶媒体ＳＤの装着部１５への着脱状態を判断する。このため、制御部１０が特許請求の範囲に記載の着脱状態判断部に相当する。
【００３５】
また、記憶媒体ＳＤは、複数のデータ記憶領域を有し、これら複数のデータ記憶領域には固有のアドレスが割り当てられている。装着部１５に装着された記憶媒体ＳＤからデータを読み出すに当たっては、制御部１０は、上記信号用のピンを用いて、まず、指定されたアドレスのデータ記憶領域にアクセスし、次に、アクセスしたアドレスのデータ記憶領域に記憶されているデータを読み出す。一方、装着部１５に装着された記憶媒体ＳＤにデータを書き込むに当たっては、制御部１０は、上記信号用のピンを用いて、まず、指定されたアドレスのデータ記憶領域にアクセスし、次に、アクセスしたアドレスのデータ記憶領域にデータを書き込む。このようにして、制御部１０は、装着部１５に装着された記憶媒体ＳＤへアクセスし、データの読み出し又はデータの書き込みを行なう。このため、制御部１０が特許請求の範囲に記載のデータ制御部に相当する。
【００３６】
また、カーナビ装置１は、自車両の車室に設けられるエンジンスイッチ２０に接続されている。エンジンスイッチ２０は、図示しない車載エンジン及び各種車載機器を動作開始するべくユーザが操作する適宜のスイッチである。ユーザは、エンジンスイッチ２０を操作することで、例えば「ＩＧオフ（ＡＣＣオフ））」、「ＡＣＣオン（アクセサリ）」及び「ＩＧオン」等に車両の状態を設定することができる。
【００３７】
ちなみに、エンジンスイッチ２０が「ＡＣＣオン」あるいは「ＩＧオン」に設定される場合、図示しない車載バッテリから電源が供給されるため、カーナビ装置１は動作可能である。また、エンジンスイッチ２０が「ＩＧオフ（ＡＣＣオフ）」に設定される場合、車載バッテリから電源が供給されないため、カーナビ装置１は基本的に動作不能である。
【００３８】
ただし、エンジンスイッチ２０が「ＡＣＣオン」から「ＩＧオフ」に設定されても、すなわち、エンジンスイッチ２０がＡＣＣオフされても、カーナビ装置１はただちに動作停止するわけではない。エンジンスイッチ２０がＡＣＣオフされると、カーナビ装置１は、自車両の現在地、目的地及び推奨経路等々の各種情報を、装着部１５に装着された記憶媒体ＳＤに記憶するデータバックアップを含む終了処理を実行する。この終了処理が完了すると、制御部１０は、当該カーナビ装置１の動作を停止する。
【００３９】
図２は、カーナビ装置１を構成する記憶装置１ａの外観を示す斜視図である。以下、この図２を併せ参照して説明する。
【００４０】
記憶装置１ａは、挿入口３１を有する筐体３０を備える。筐体３０は、例えばプラスチック等の適宜の材料によって平板状に形成されており、上記装着部１５を内部に有する。また、筐体３０の正面の略中央には、筐体３０内部の装着部１５に記憶媒体ＳＤを装着するための正面視矩形状の挿入口３１が形成されている。また、筐体３０の上面のうち正面側の端部及び筐体３０の下面のうち正面側の端部には、後述するカバー３２を案内するスライドレール３３が形成されている。
【００４１】
記憶装置１ａはカバー３２を備える。カバー３２は、スライドレール３３に案内されることで筐体３０の正面に沿ってスライド可能である。カバー３２は、例えばプラスチック等の適宜の材料によって、上記挿入口３１を覆うことが可能な大きさに形成されており、カバー３２の右端部がスライドレール３３の開位置Ａに位置する場合、上記挿入口３１は完全に露出する一方、カバー３２の右端部がスライドレール３３の閉位置Ｂに位置する場合、上記挿入口３１はカバー３２によって完全に閉塞されるようになっている。これにより、カバー３２が開位置Ａにスライドされることで、記憶媒体ＳＤを挿入口３１を介して装着部１５に着脱可能な状態となり、カバー３２が閉位置Ｂにスライドされることで、記憶媒体ＳＤを挿入口３１を介して装着部１５に着脱不可能な状態となる。
【００４２】
図３（ａ）は、カバー３２が開かれた状態について筐体３０の正面側から示す模式図であり、図３（ｂ）は、カバー３２が閉じられた状態について筐体３０の正面側から示す模式図である。なお、図３（ｂ）では、図示の便宜上、カバー３２は、筐体３０の正面に平行な面で切断した切断面が示されている。以下、これら図３（ａ）及び（ｂ）を併せ参照して説明する。
【００４３】
記憶装置１ａは、カバー３２の位置を検出するカバー位置検出部３６を備える。このカバー位置検出部３６は、図３（ａ）及び（ｂ）に示されるように、筐体３０の正面のうち挿入口３１の右方に配置されており、上下方向に移動可能な正面視三角形状の可動部３６ａ及びこの可動部３６ａを保持する固定部３６ｂを有して構成されている。可動部３６ａは、図示しないばねの付勢力により固定部３６ｂから離隔する方向に付勢されている。カバー３２の開状態においては、そして、図３（ａ）に示されるように、可動部３６ａは上端まで伸びている一方、カバー３２の閉状態においては、図３（ｂ）に示されるように、可動部３６ａは、カバー３２の裏面側（筐体３０の正面側）に設けられた突起部３２ａに当接して下端に押し付けられている。固定部３６ｂは、可動部３６ａが下端に押し付けられていることを検出し、上記制御部１０にその検出結果を出力する。このようにして、カバー位置検出部３６は、カバー３２が閉位置Ｂに位置することを検出する。なお、制御部１０は、カバー位置検出部３６によってカバー３２が閉位置Ｂに位置することが検出されると、カバー３２は閉じられていると判断し、カバー位置検出部３６によってカバー３２が閉位置Ｂに位置することが検出されないと、カバー３２は閉じられていないと判断する。
【００４４】
図４（ａ）は、カバー３２のロック解除状態を示す模式図であり、図４（ｂ）は、カバー３２のロック状態を示す模式図である。以下、これら図４（ａ）及び（ｂ）を併せ参照しつつ説明する。
【００４５】
記憶装置１ａは、ロックピン３４及びピン駆動部３５を備える。ロックピン３４は、例えば鉄等の金属材料にて角柱状に形成されており、筐体３０の正面に平行な方向（上下方向）に変位可能に設けられている。また、ピン駆動部３５は、ソレノイドコイル３５ａ、スプリング３５ｂ、及び固定部３５ｃを有して構成されている。固定部３５ｃは、筐体３０から正面方向に突き出るように形成されており、ロックピン３４をスプリング３５ｂを介して固定している。ソレノイドコイル３５ａは、ロックピン３４のロック方向先端に配置され、制御部１０に接続されている。スプリング３５ｂは、固定部３５ｃとロックピン３４のロック解除方向の先端との間に自然長の状態にて配置されている。なお、ロック解除方向とは、筐体３０の上面から下面に向かう方向であり、ロック方向とは、筐体３０の下面から上面に向かう方向である。
【００４６】
ここで、カバー３２が閉位置Ｂに位置する閉状態において、ソレノイドコイル３５ａに制御部１０から電流が供給されると、カバー３２はロック状態となる。詳しくは、制御部１０から電流が供給されたソレノイドコイル３５ａには、ロックピン３４に対してロック方向へ作用する吸引力が生じ、この吸引力によってロックピン３４はロック方向へ変位する。すると、ロックピン３４は、図４（ｂ）に示されるように、ロック位置に保持され、ロックピン３４はカバー３２の突起部３２ａと当接するようになる。そのため、カバー３２はスライドレール３３に沿って移動不可能となり、記憶媒体ＳＤを挿入口３１を介して装着部１５に着脱不能な状態とすることができるようになる。なお、ロック位置とは、ロックピン３４の正面視右側面とカバー３２の突起部３２ａの正面視左側面とが当接する位置である。
【００４７】
このとき、ロックピン３４がロック方向へ変位すると、スプリング３５ｂは自然長よりも伸ばされるため、スプリング３５ｂにはロックピン３４に対しロック解除方向へ作用するばね力が生じる。しかしながら、制御部１０は、ばね力よりも大きな吸引力が作用するように、ソレノイドコイル３５ａに電流を供給する。そのため、ロックピン３４はロック方向へ変位する。
【００４８】
ただし、制御部１０によるソレノイドコイル３５ａへの電流供給が停止すると、カバー３２はロック解除状態となる。詳しくは、電流供給が停止されたソレノイドコイル３５ａには、ロックピン３４に対しロック方向へ作用する吸引力は生じない。ロックピン３４にはロック解除方向へ作用するばね力のみ作用するようになるため、ロックピン３４はロック解除方向へ変位する。すると、ロックピン３４は、図４（ａ）に示されるように、ロック解除位置に保持され、ロックピン３４はカバー３２の突起部３２ａと当接しなくなる。そのため、カバー３２はスライドレール３３に沿って移動可能となり、カバー３２を上記開位置Ａにスライドさせることで、記憶媒体ＳＤを挿入口３１を介して装着部１５に着脱可能な状態とすることができるようになる。なお、ロック解除位置とは、ロックピン３４とカバー３２の突起部３２ａが当接しない位置である。
【００４９】
このように、ピン駆動部３５（詳しくはソレノイドコイル３５ａ及びスプリング３５ｂ並びに固定部３５ｃ）及び制御部１０が特許請求の範囲に記載のピン駆動制御部に相当し、このピン駆動部３５及びカバー３２並びに筐体３０が特許請求の範囲のロック機構に相当する。さらに、制御部１０が特許請求の範囲のロック機構制御部に相当する。
【００５０】
図５は、記憶装置１ａ（カーナビ装置１）によって実行される取外時処理Ｓ１０の処理手順を示すフローチャートである。以下、この図５を参照しつつ、記憶媒体ＳＤの取り外し時に実行される取外時処理Ｓ１０について説明する。なお、カーナビ装置１は動作中であり、記憶媒体ＳＤは装着部１５に装着され、且つ、カバー３２は位置Ｂにてロック状態となっているものとする。
【００５１】
取外時処理Ｓ１０が実行されると、制御部１０は、まず、ステップＳ１１の判断処理として、ＡＣＣオフとされたか否かを判断する。詳しくは、制御部１０は、エンジンスイッチ２０が「ＡＣＣオン」から「ＡＣＣオフ」に設定されたか否かを判断する。ここで、ＡＣＣオフとされたと判断されない場合（ステップＳ１１の判断処理で「Ｎｏ」）、制御部１０は、このステップＳ１１の判断処理を再度実行する一方、ＡＣＣオフとされたと判断される場合（ステップＳ１１の判断処理で「Ｙｅｓ」）、制御部１０は、続くステップＳ１２の判断処理に移行する。
【００５２】
ステップＳ１２の判断処理に移行した場合とは、ユーザによってカーナビ装置１を電源オフとする指示がされたことを意味する。この場合、既述したように、カーナビ装置１はただちに動作停止するわけではなく、データバックアップを含む終了処理を実行する。そして、制御部１０は、ステップＳ１２の判断処理として、この終了処理が完了したか否かを判断する。ここで、終了処理が完了していないと判断される場合（ステップＳ１２の判断処理で「Ｎｏ」）、制御部１０は、ステップＳ１１の判断処理及びステップＳ１２の判断処理を再度実行する。一方、ステップＳ１２の判断処理において、終了処理が完了したと判断される場合（ステップＳ１２の判断処理で「Ｙｅｓ」）、制御部１０は、続くステップＳ１３の処理に移行する。換言すれば、制御部１０は、ＡＣＣオフとされ、且つ、終了処理が完了したと判断されるまで待機する。なお、この待機中、制御部１０は、ソレノイドコイル３５ａに電流を供給し、カバー３２の閉位置Ｂでのロック状態を維持する。これにより、制御部１０が記憶媒体ＳＤへのアクセス中にその記憶媒体ＳＤが取り外されることがなくなるため、データ破壊を低減することができるようになる。
【００５３】
上記ステップＳ１２の判断処理で終了処理が完了したと判断される場合（ステップＳ１２の判断処理で「Ｙｅｓ」）、制御部１０は、続くステップＳ１３の処理として、ソレノイドコイル３５ａへの電流供給を停止することで、カバー３２の閉位置Ｂでのロック状態を解除する。上記ステップＳ１３の処理を終えると、制御部１０は、続くステップＳ１４の処理として、当該記憶装置１ａ（カーナビ装置１）の電源をオフとする。このため、制御部１０は、特許請求の範囲の電源制御部に相当する。
【００５４】
図６は、記憶装置１ａ（カーナビ装置１）によって実行される装着時処理Ｓ２０の処理手順を示すフローチャートである。以下、この図６を参照しつつ、記憶媒体ＳＤの装着時に実行される装着時処理Ｓ２０について説明する。
【００５５】
装着時処理Ｓ２０が実行されると、制御部１０は、まず、ステップＳ２１の判断処理として、ＡＣＣオンとされたか否かを判断する。詳しくは、制御部１０は、エンジンスイッチ２０が「ＩＧオフ」から「ＡＣＣオン」に設定されたか否かを判断する。ここで、ＡＣＣオンとされたと判断されない場合（ステップＳ２１の判断処理で「Ｎｏ」）、制御部１０は、このステップＳ２１の判断処理を再度実行する一方、ＡＣＣオンとされたと判断される場合（ステップＳ２１の判断処理で「Ｙｅｓ」）、制御部１０は、続くステップＳ２２の判断処理に移行する。
【００５６】
ステップＳ２２の判断処理に移行すると、制御部１０は、記憶媒体ＳＤが装着部１５に装着されているか否かを判断する。具体的には、制御部１０は、上記装着検出用のピンの電圧レベル（電位状態）を監視し、記憶媒体ＳＤの装着部１５への着脱状態を判断する。
【００５７】
ここで、記憶媒体ＳＤが装着部１５に装着されていないと判断される場合（ステップＳ２２の判断処理で「Ｎｏ」）、制御部１０は、続くステップＳ２３の処理として、記憶媒体ＳＤへのアクセスを禁止し、続くステップＳ２４の処理として、例えば「記憶媒体ＳＤが装着部１５に未装着です。」等の警告を表示部１３に表示する。そして、制御部１０は、先のステップＳ２１の判断処理を再度実行する。
【００５８】
一方、記憶媒体ＳＤが装着部１５に装着されていると判断される場合（ステップＳ２２の判断処理で「Ｙｅｓ」）、制御部１０は、続くステップＳ２５の判断処理として、カバー位置検出部３６によってカバー３２が閉位置Ｂに検出されるか否かを判断する。
【００５９】
ここで、カバー３２が閉位置Ｂに検出されないと判断される場合（ステップＳ２５の判断処理で「Ｎｏ」）、制御部１０は、続くステップＳ２６の処理として、記憶媒体ＳＤへのアクセスを禁止し、続くステップＳ２７の処理として、例えば「カバー３２を閉じてください。」等の警告を表示部１３に表示する。そして、制御部１０は、先のステップＳ２１の判断処理を再度実行する。
【００６０】
上記ステップＳ２５の判断処理において、カバー位置検出部３６によってカバー３２が閉位置Ｂに検出されると判断される場合（ステップＳ２５の判断処理で「Ｙｅｓ」）、制御部１０は、続くステップＳ２８の処理として、ソレノイドコイル３５ａの電流を供給することで、カバー３２を閉位置Ｂでのロック状態とし、この装着時処理Ｓ２０を終了する（通常動作を開始する）。これにより、制御部１０が記憶媒体ＳＤへのアクセス中にその記憶媒体ＳＤが取り外されることがなくなるため、データ破壊をより低減することができるようになる。
【００６１】
上記実施の形態では、制御部１０は、エンジンスイッチ２０が「ＡＣＣオン」から「ＡＣＣオフ」に設定されたと判断される場合、記憶媒体ＳＤへのデータバックアップを含む終了処理が完了するまでカバー３２を閉位置Ｂにロックし、この終了処理の完了後に、カバー３２の閉位置Ｂでのロック状態を解除することとした（ステップＳ１３の処理）。これにより、カバー３２の閉位置Ｂでのロック中は記憶媒体ＳＤを装着部１５から取り外すことができないため、記憶媒体ＳＤの着脱時に生じることのあるデータ破壊をより低減することができるようになる。
【００６２】
上記実施の形態では、制御部１０は、記憶媒体ＳＤが装着部１５に装着されていないと判断する場合、記憶媒体ＳＤへアクセスしないこととした（ステップＳ２３の処理）。これにより、記憶媒体ＳＤへのアクセス試行中に記憶媒体ＳＤが装着部１５に実際に装着されることがなくなるため、記憶媒体ＳＤの装着時に生じることのあるデータ破壊をより低減することができるようになる。
【００６３】
上記実施の形態では、制御部１０は、記憶媒体ＳＤが装着部１５に装着されていると判断されてもカバー３２が閉じられていないと判断する場合、記憶媒体ＳＤへアクセスしないこととした（ステップＳ２３の処理）。記憶媒体ＳＤへのアクセス中に装着部１５に装着された記憶媒体ＳＤが取り外される可能性がある場合には記憶媒体ＳＤへアクセスしないため、記憶媒体ＳＤの取外時に生じることのあるデータ破壊をより低減することができるようになる。
【００６４】
上記実施の形態では、制御部１０は、カバー３２が閉じられていると判断する場合、カバー３２を閉位置Ｂでロックすることとした（ステップＳ２８の処理）。これにより、記憶媒体ＳＤへのアクセス中に記憶媒体ＳＤを取り外すことができなくなるため、記憶媒体ＳＤの取外時に生じることのあるデータ破壊をより低減することができるようになる。
【００６５】
なお、本発明に係る記憶装置は、上記実施の形態にて例示した構成に限定されるものではなく、本発明の趣旨を逸脱しない範囲において、種々に変形して実施することが可能である。すなわち、上記実施の形態を適宜変更した例えば次の形態として実施する  こともできる。
【００６６】
上記実施の形態では、制御部１０は、記憶媒体ＳＤが装着部１５に装着されていると判断されてもカバー３２が閉じられていないと判断する場合、記憶媒体ＳＤへアクセスしないこととしていたが、記憶媒体ＳＤが装着部１５に装着されているか否かについての判断を行わなくてもよい。具体的には、ステップＳ２２〜Ｓ２４の処理を割愛してもよい。これによっても、低減することはできる。これによっても、記憶媒体ＳＤの取外時に生じることのあるデータ破壊をより低減することができるようになる。
【００６７】
上記実施の形態では、当該記憶装置１ａは車載ナビゲーション装置１の一部を構成するものとしていたが、車載カーナビ装置に限らず、例えば車載オーディオ装置など、他の車載機器の一部を構成するものとしてもよく、車載機器にも限らず、記憶媒体にデータを記憶することが必要な機器に広く適用することができる。したがって、上記実施の形態では、制御部１０は、上記取外時処理Ｓ１０を構成する上記ステップＳ１１の処理として、ＡＣＣオフとされたか否かを判断していたが、これに替えて、当該記憶装置１ａが構成するその他機器の電源スイッチがオフとされたか否かを判断することとしてもよい。同様に、制御部１０は、上記上記装着時処理Ｓ２０を構成するステップＳ２１の処理として、ＡＣＣオンとされたか否かを判断していたが、これに替えて、当該記憶装置１ａが構成するその他機器の電源スイッチがオンとされたか否かを判断することとしてもよい。さらに、その他機器の電源スイッチではなく、当該記憶装置１ａ自体の電源スイッチとしてもよい。
【符号の説明】
【００６８】
１…車載ナビゲーション装置、１ａ…記憶装置、１０…制御部（データ制御部、ピン駆動制御部、ロック機構制御部、表示制御部）、１１…位置取得部、１２…操作部、１３…表示部、１４…経路探索部、１５…装着部、２０…エンジンスイッチ、３０…筐体、３１…挿入口、３２…カバー、３３…スライドレール、３４…ロックピン（ロック部）、３５…ピン駆動部（駆動部、駆動制御部）、３５ａ…ソレノイドコイル、３５ｂ…スプリング、３６…カバー位置検出部、３６ａ…可動部、３６ｂ…固定部、ＳＤ…ＳＤカード（記憶媒体）
【図１】
2010176425.tif 000003
【図２】
2010176425.tif 000004
【図３】
2010176425.tif 000005
【図４】
2010176425.tif 000006
【図５】
2010176425.tif 000007
【図６】
2010176425.tif 000008